(57)【要約】【課題】口頭で告げることなくタクシーを施設などの目的施設に確実に案内する。【解決手段】目的施設の少なくとも位置情報を含むＱＲコードを付した名刺１２と、該ＱＲコードを読み取りかつ保存する手段を備えた携帯電話機４０と、該携帯電話機４０に表示したＱＲコードを読み取る車載機と、読み取ったＱＲコードの位置情報に基づき目的地までの経路を表示可能なカーナビゲーション装置とからなる、ことを特徴とする車両の行き先指示システム。【選択図】          図１
2006226962.tif 000002
【特許請求の範囲】
【請求項１】
少なくとも乗降場所情報を含む施設情報を記憶した施設情報データベースと、
住所情報を基に、施設情報データベースに記憶された乗降場所情報を抽出する抽出手段を備えたセンタ装置。
【請求項２】
請求項１に記載されセンタ装置において、
前記抽出手段により抽出された乗降場所情報をバーコード化する変換手段と、
前記バーコード化した乗降場所情報を表示もしくは印刷する表示手段と、
を備えたことを特徴とするセンタ装置。
【請求項３】
請求項２に記載されたセンタ装置の前記変換手段によりバーコード化された乗降場所情報を付した情報担体と、
前記バーコード化された乗降場所情報を読み取りかつ保存する保存手段と、
前記保存されたバーコード情報を表示画面に表示するバーコード表示手段と、
を備えた携帯端末装置と、
該携帯端末装置の表示画面に表示されたバーコード情報を読み取るバーコード読取手段と、
前記バーコード読取手段により読み取ったバーコード情報に基き、目的地情報を表示するカーナビゲーション手段を備えた車載機と、
からなる車両の行先指示システム。
【請求項４】
請求項１又は２に記載されたセンタ装置の前記変換手段によるバーコード化された乗降場所情報を付した情報担体と、
前記バーコード化された乗降場所情報を読み取りかつ保存する保存手段と、
前記保存されたバーコード情報を無線送信する無線送信手段と、
を備えた携帯情報端末装置と、
該携帯端末装置の無線送信手段を用いて送信されるバーコード情報を受信する無線受信手段と、
前記無線受信手段により受信したバーコード情報に基づき、目的地情報を表示するカーナビゲーション手段を備えた車載機と、
からなることを特徴とする車両の行先指示システム。
【請求項５】
請求項１又は２に記載されたセンタ装置と、
前記施設情報データベースに記憶された各施設のＵＲＬ情報のＱＲコードを付した情報担体と、前記ＱＲコードを読み取ることで前記各施設情報にアクセスし、かつ前記目的施設の位置情報をネットワークを介して取得しかつ該情報を記憶可能な携帯端末装置と、該携帯端末装置に記憶された前記位置情報を読み取る読取手段を備えた車載機と、読み取った位置情報に基づき目的地までの経路を表示可能なカーナビゲーション装置とからなる、ことを特徴とする車両の行き先指示システム。
【請求項６】
予め携帯端末装置内に記憶されている住所情報を経度緯度情報に変換する経度緯度算出手段を備えたことを特徴とする携帯端末装置。
【請求項７】
請求項６に記載された携帯端末装置であって、前記経度緯度算出手段により算出された経度緯度情報をバーコード情報に変換する第２の変換手段と、前記バーコード情報を表示画面に表示するバーコード情報表示手段を備えた携帯端末装置と、
前記バーコード情報表示手段により表示されたバーコード情報を読み取るバーコード読取手段と、
前記バーコード読取手段により読み取ったバーコード情報に基づき目的地情報を表示するカーナビゲーション手段を備えた車載機と、
からなることを特徴とする車両の行き先指示システム。
【請求項８】
請求項６に記載された携帯端末装置であって、前記経度緯度算出手段により算出された経度緯度情報を無線送信する無線送信手段を備えた携帯端末装置と、
該携帯端末装置の無線送信手段から送信されるバーコード情報を受信する無線受信手段と、
前記無線受信手段により受信したバーコード情報に基づき目的地情報を表示するカーナビゲーション手段を備えた車載機と、
からなることを特徴とする車両の行き先指示システム。
【発明の詳細な説明】
【技術分野】
【０００１】
本発明は、携帯端末装置のＱＲコード（二次元コード）読み取り機能を利用したタクシーなどの車両の行き先指示システム、そのセンタ装置、及び携帯端末装置に関するものである。
【背景技術】
【０００２】
タクシーで目的の施設、例えば店、会社等へ行く場合、運転者に行き先を告げ、その際名刺の住所又は記載の地図を運転者に説明することが行われている。しかし、住所だけでは目的地が曖昧である場合がある他、利用者の記憶によるときには、その記憶が曖昧であったり、道順が明確でないため、目的地への到着の遅れや、料金のアップ等が生じ、客と運転者のあいだでトラブルとなることもある。
また、言語障害のある身体障害者にとっては、運転者に目的地を説明するのに手間取る等の問題がある。
【０００３】
そこで、例えば、口頭による指示を行わずに目的地に間違いなく運送することができるようにしたシステムが知られている。例えば、車輌に、カーナビゲーションシステムと、目的地の位置情報が記録されるカードを発行する発券手段と、目的地到達時に到達地の位置情報をＧＰＳ（Global Positioning System）に基づく位置情報としてカードに記録する記録手段と、カードの目的地位置情報の読取り手段と、読取り手段によって読取られた目的地位置情報をカーナビゲーションシステムに目的地として認識させる信号処理手段を搭載して、カードが提示された場合は、読取り手段がカードの目的地位置情報を読取って、目的地位置情報をカーナビゲーションシステムに目的地として認識させ、カードが提示されない場合は、車輌が目的地に到達したときに到達地の位置情報を必要に応じて上記カードに記録して発券するようにした車両の目的地誘導システムが知られている（特許文献１参照）。
【０００４】
或いは、乗客が入力／表示部から目的地と経路を入力することで、出力部では目的地等の該当情報がバーコードとして印刷され、この印刷されたバーコードを運転手に渡すことにより、運転手に目的地等を正確に伝えるものが知られている（特許文献２参照）。
【０００５】
更に、タクシーの目的地を迅速かつ正確に特定できるようにするため、名札、カード、名刺等に目的地等の位置情報を数値またはバーコードにより印刷しておき、名札等から位置情報に対応する数値またはバーコードを読み取るための位置情報読取手段又は携帯電話機の保存情報を無線受信機を備えたナビゲーションシステムに送信することで、目的地までの経路探索を行うようにすると共に、初めて降車した時には位置情報書き込み手段で印刷出力した名札等を受け取り、タクシーの再利用時に運転手に提出して目的地入力を行うようにすることができる位置情報サービスシステムも知られている（特許文献３参照）。
【０００６】
しかしながら、特許文献１のシステムでは、目的地情報を記録したカードを作成しなければならず、利用するときは行き先毎にカードを使い分けなければならず、またカードの保管も煩わしいという問題がある。
また、特許文献２のシステムでは、乗客は行き先を入力しかつ行き先情報を記録したバーコードを印刷して運転手に渡す一連の処理を行う必要がありその作業自体手間がかかるという問題がある。
更に、特許文献３のシステムでも、目的地情報の入力には目的地の位置情報又はその他の道路情報が含まれる電波（ＦＭ放送信号）やビーコン信号（光や電波）を受信する携帯電話機のブルートゥース（Bluetooth：登録商標）送受信機で受信するか又は乗客が入力するか、する必要があり煩雑であるという問題ある。
【０００７】
更に、前記従来のシステムでは、例えば、駅の住所情報から駅の場所を抽出することはできるが、タクシーで駅を指示する場合、その場所は必ずしも客を乗せたタクシーが停車する場所を指しているとは限らない。また、大きなビル等の施設或いは入り組んだ路地に目的地がある場合なども、タクシーの降車場所は目的地情報とは異なる場合がある。そのような場合には行き先を自動的に指示できたとしても、目的地に近づいた段階で具体的に降車場所を口頭で指示する必要が生じ不便である。
【特許文献１】特開２００４−３０９４０３号公報
【特許文献２】特開２００２−４９７１５号公報
【特許文献３】特開２００３−２４７８４８号公報
【発明の開示】
【発明が解決しようとする課題】
【０００８】
本発明は、上記従来の問題点に鑑みてなされたものであって、その第１の目的は、タクシー等の行き先情報を携帯端末装置で何時でも容易に入手できるようにし、それに基づき自動的に行き先を指示できるようにすることである。
また、第２の目的は、施設の住所情報とは別に実際に車両を乗り降りする乗降車位置についての情報を提供して、行き先をより正確に指示できるようにすることである。
【課題を解決するための手段】
【０００９】
請求項１の発明は、センタ装置であって、少なくとも乗降場所情報を含む施設情報を記憶した施設情報データベースと、住所情報を基に、施設情報データベースに記憶された乗降場所情報を抽出する抽出手段を備えたことを特徴とする。
請求項２の発明は、請求項１に記載されセンタ装置において、前記抽出手段により抽出された乗降場所情報をバーコード化する変換手段と、  前記バーコード化した乗降場所情報を表示もしくは印刷する手段とを備えたことを特徴とする。
請求項３の発明は、車両の行先指示システムであって、請求項２に記載されたセンタ装置の前記変換手段によりバーコード化された乗降場所情報を付した情報担体と、前記バーコード化された乗降場所情報を読み取りかつ保存する保存手段と、前記保存されたバーコード情報を表示画面に表示するバーコード表示手段とを備えた携帯端末装置と、該携帯端末装置の表示画面に表示されたバーコード情報を読み取るバーコード読取手段と、前記バーコード読取手段により読み取ったバーコード情報に基き、目的地情報を表示するカーナビゲーション手段を備えた車載機とからなることを特徴とする。
請求項４の発明は、車両の行先指示システムであって、請求項１又は２に記載されたセンタ装置の前記変換手段によるバーコード化された乗降場所情報を付した情報担体と、前記バーコード化された乗降場所情報を読み取りかつ保存する保存手段と、前記保存されたバーコード情報を無線送信する無線送信手段とを備えた携帯情報端末装置と、該携帯端末装置の無線送信手段を用いて送信されるバーコード情報を受信する無線受信手段と、前記無線受信手段により受信したバーコード情報に基づき、目的地情報を表示するカーナビゲーション手段を備えた車載機とからなることを特徴とする。
請求項５の発明は、車両の行き先指示システムであって、請求項１又は２に記載されたセンタ装置と、前記施設情報データベースに記憶された各施設のＵＲＬ情報のＱＲコードを付した情報担体と、該ＱＲコードを読み取ることで前記各施設情報にアクセスし、前記目的施設の少なくとも位置情報をネットワークを介して取得すると共に該情報を記憶可能な携帯端末装置と、該携帯端末装置に記憶された前記位置情報を読み取る読取手段と、読み取った位置情報に基づき目的地までの経路を表示可能なカーナビゲーション装置とを備えた車載機からなることを特徴とする。
請求項６の発明は、携帯端末装置であって、予め携帯端末装置内に記憶されている住所情報を経度緯度情報に変換する経度緯度算出手段を備えたことを特徴とする。
請求項７の発明は、車両の行き先指示システムであって、前記経度緯度算出手段により算出された経度緯度情報をバーコード情報に変換する第２の変換手段と、前記バーコード情報を表示画面に表示するバーコード情報表示手段を備えた請求項６に記載された携帯端末装置と、前記バーコード情報表示手段により表示されたバーコード情報を読み取るバーコード読取手段と、前記バーコード読取手段により読み取ったバーコード情報に基づき目的地情報を表示するカーナビゲーション手段を備えた車載機と、からなることを特徴とする。
請求項８の発明は、車両の行き先指示システムであって、前記経度緯度算出手段により算出された経度緯度情報を無線送信する無線送信手段を備えた請求項６に記載された携帯端末装置、該携帯端末装置の無線送信手段から送信されるバーコード情報を受信する無線受信手段と、前記無線受信手段により受信したバーコード情報に基づき目的地情報を表示するカーナビゲーション手段を備えた車載機と、からなることを特徴とする。
【発明の効果】
【００１０】
本発明によれば、目的地情報を運転者に口頭説明を要せずに確実に伝えることができると共に、降車位置情報を含む目的地情報を提供できるため、目的地に最短時間で確実に誘導することができる。
【発明を実施するための最良の形態】
【００１１】
本発明を添付図面に示すその実施形態について説明する。
図１は、本発明の１実施形態であるタクシーの行き先指示システムを概略的に示すブロック図である。
本システムは、図示のように、例えばタクシー会社１０を介して施設等２０から利用者に配布されるバーコード情報を記録した名刺等（記録担体）１２と、センタ装置と５０、利用者３０の携帯端末装置の１例である携帯電話機４０と、タクシーに設置される車載機６０とから構成されている。
【００１２】
センタ装置５０は、図２Ａに示すように、サーバ５２と、タクシーの乗降場所に関する情報を含む施設等の施設情報を登録した施設情報データベース５４、表示手段５６、印刷手段５７を備えると共に、インターネット等の商用ネットワークシステムを介して施設情報を送受信する送受信部５８を備えており、施設情報データベース５４に登録されている少なくともその施設の乗降車場所情報（経度、緯度情報）を携帯電話機に送信可能である。
【００１３】
また、センタ装置５０は、そのサーバ５２内に内蔵プログラムに基づき動作する機能実現手段として、施設の位置情報を抽出する抽出手段５２ａ及び抽出した乗降場所情報をバーコード化（ＱＲコード化）するための処理を行う変換手段５２ｂを備えているとともに、サーバ５２は抽出結果或いは変換したバーコード等を表示又は印刷するための表示又は印刷のための制御を行う。即ち、サーバ５２は、前記抽出手段５２ａにより、入力された乗降場所情報を基に施設情報データベースに記憶されている乗降場所情報等を抽出し、続いて、前記変換手段５２ｂにより施設情報として、少なくとも抽出された乗降場所情報等を含む情報をＱＲコード化し、更に、前記抽出した情報やそのＱＲコードをその表示手段５６に表示しかつ印刷する処理を行う。
【００１４】
携帯電話機４０は、図２Ｂに示すように、全体を制御する制御部４１と、バーコードを読み取るためのバーコード読取手段（カメラ）４２、表示手段４５、車載機６０と通信するための、例えば非接触型ＩＣチップ、ブルートゥース（登録商標）、ＩｒＤＡ（Infrared Data Association）等の無線送受信手段４４、情報を保存するメモリ手段４３、メモリ手段４３に保存したバーコード情報を再度表示するための表示手段４５を備えている。
【００１５】
また、携帯電話機４０は、その制御部４１内に、内蔵プログラムで動作する機能実現手段として、予め携帯端末装置内に記憶されている住所情報を経度緯度情報に変換する経度緯度変換手段４１ａと、この経度緯度算出手段により算出された経度緯度情報をバーコード情報に変換するバーコード変換手段４１ｂとを備え、かつ前記制御部４１は、前記バーコード情報を前記表示手段４５に表示するための制御を行う。
【００１６】
車載機６０は、図２Ｃに示すように、制御部６１と、カーナビゲーション手段６２と、例えば非接触型ＩＣチップ、ブルートゥース（登録商標）、ＩｒＤＡ等の無線送受信手段６３、ＩＣカード読取手段６４と、バーコード読取手段６５を備えており、制御部６１は、車載機６０における前記各手段の動作制御を行う。
【００１７】
以上の構成に於いて、センタ装置５０では、その施設情報データベース５４に、登録された各施設の情報、例えば、施設の識別コード毎に、施設名、その施設の郵便番号、住所、電話番号、乗降者位置、経度・緯度、その施設のホームページのＵＲＬ（Uniform Resource Locator：当該施設に関するインターネットサービス所在地情報）、その他の情報を保存しておき、かつ保存データから特定の施設の位置情報、例えば経度・緯度情報をＱＲコードに変換して、その情報を名刺に印刷するか、或いはシールとして印刷し適宜名刺等に貼り、このシステムではタクシー会社１０を通じて各施設２０に配布し、更に、各施設２０は、その客つまり利用者３０に配布する。
【００１８】
図３は、センタ装置５０のサーバ５２の施設情報データベース５４に記憶された施設情報の記録フォーマットの一例を示す。
即ち、各施設名、郵便番号、住所又は住所コード（国土地理院指定のコード）、乗降車位置情報（同じ施設でも乗降位置が規制されている場合があるが、そのような場合における乗降位置の正確な情報）、経度・緯度（１０００分の１秒単位の数値で表したもの）、ＵＲＬ、その他、例えば、目的地近傍の一方通行規制等の交通規制等から成っている。
【００１９】
図４は、以上で説明したセンタサーバ５２の施設情報データベース５４に記憶された前記記録情報から作成したＱＲコードのレイアウトを示す。
図示のようにＱＲコードには、施設名、住所、電話番号、経度・緯度がコード化されて記録されている。
【００２０】
このＱＲコードは、既に述べたように、例えば施設名と共に名刺１２に印刷されるか、或いは名刺等に貼付けできるようにシールとして印刷され、タクシー会社１０を介して登録された各施設２０に配布され、かつ各施設２０では、利用客３０に配布する。利用客３０は名刺に付されたＱＲコードを自身の携帯電話機４０のカメラ４２で読み取り、ＱＲコード化された施設情報をそのメモリ手段４３に記憶する。
【００２１】
図５は、ＱＲコードを利用して携帯電話機４０に記憶した目的地情報を用いて例えばタクシーの行き先指示を行う場合の各機器を、また、図６は、行き先を指示するための手順を示すフロー図である。
タクシー利用者は、まず携帯電話機４０のメモリ手段４３に記憶された施設情報のうち少なくとも乗降場所を含む情報のＱＲコードをその表示手段４５に表示する（Ｓ１０１）、タクシーに搭載された車載機６０のバーコード読取手段即ちカメラ６５はこれを撮影して読み取り（Ｓ１０２）、ＱＲコードの位置情報をカーナビゲーション手段６２に入力するか（Ｓ１０７）、或いは、携帯電話機４０内蔵の前記無線送信機４４から送信し（Ｓ１０３）、送信した施設の位置情報を車載機６０の例えばIrＤＡ、ブルートゥース（登録商標）などの無線送受信機を備えた送受信手段６３で受信して（Ｓ１０４）カーナビゲーション手段６２に入力する（Ｓ１０７）か、或いは、携帯電話機４０に備えたＩＣチップ４６を車載機６０に提示し、そこに記憶した少なくとも乗降場所情報を含む施設情報を、車載機６０のＩＣカードリーダ・ライタ６４で読み取り（Ｓ１０６）その情報をカーナビゲーション手段６２に入力する（Ｓ１０７）かする。
【００２２】
カーナビゲーション手段６２は、ＧＰＳで読み取った現在位置からカメラ６５、無線送受信機６３又はＩＣカードリーダ・ライタ６４で読み取った目的地までの経路を、特定のアルゴリズムに従い演算して内蔵した地図情報から探索して表示する。タクシー運転者は、カーナビゲーション手段６２の表示に従って車を走らせ、客を目的とする施設に正確に運ぶことができる。
【００２３】
図７は、予め名刺等にＱＲコード化された施設情報に対応するＵＲＬ情報を携帯電話機４０が、そのカメラ４２を用いてＵＲＬ情報をメモリ３３に記憶した場合において、記憶されているＵＲＬ情報を用いて目的地情報を取得するための処理を示すフローチャートである。
この処理では、携帯電話機は、センタ５０のＵＲＬ情報をメモリから読み出すか或いはそのコード化を読み取ることで、同ＵＲＬ情報を取得し（Ｓ２０１）、センタ装置５０に自動的に接続し（Ｓ２０２）、続いてセンタサーバ５２にアクセスして（Ｓ２０３）、施設情報データベース５４に保存されている施設の電話番号、住所データ、位置情報、施設のサービス情報、或いは施設の回りの交通規制情報や乗降場所情報等を抽出し（Ｓ２０４）、携帯電話機に送信し（Ｓ２０５）、携帯電話機４０は、この前記情報を表示し（Ｓ２０６）、かつ、表示後にメモリ手段４３およびＩＣチップ４４に記憶する（Ｓ２０７）。
【００２４】
利用者３０は、以上のようにして得た目的地情報を基に、乗車時に目的地情報をＱＲコードに変換して表示し、車載機６０のカメラ６５で撮影して読み取らせるか或いは前記施設の位置情報を車載機６０に無線送信し、或いは携帯電話機４０のＩＣチップ４４内に記憶された情報（施設の乗降場所情報）を車載機６０の非接触型ＩＣカードリーダ６４で読み取らせて、車載機６０がカーナビゲーション手段６２に情報を渡すようにする。
なお、図８に示すように、車載機６０にはＧＰＳ装置（図示せず）を備え、運転手の操作に基づき現在位置のＧＰＳ情報（経度、緯度情報）をＱＲコードに変換し、その表示手段６６に表示し、乗客は、この表示されたＱＲコードを携帯電話機４０のカメラ４２で撮影して取り込み、次回の乗車にこのＱＲコードを携帯電話機４０に表示して、前記と同様にタクシーの車載機６０のカメラ６５で撮影してカーナビゲーション手段６２に入力することもできる。
【００２５】
携帯電話機４０は、電話帳に予め記憶した住所情報を演算して経度緯度情報に変換する第１の変換手段４１ａと、この経度緯度算出手段により算出された経度緯度情報をバーコード情報に変換する第２の変換手段４１ｂを有しているので、例えば、携帯電話機に記憶した住所録から必要な住所を抽出して、その情報を経度緯度情報に変換し、更にその経度緯度情報をバーコード情報に変換して表示部４５に表示することにより、例えば、タクシー乗車の際にそのバーコードを車載機６０のカメラ６５に読み取らせることで、目的地をカーナビゲーション手段６２に案内表示させることができる。
【００２６】
つまり、携帯電話機４０のこの機能を用いることにより、単に携帯電話機の電話帳に記憶されている住所情報を入力することで当該住所に基づく目的地情報からバーコード情報を形成できるから、タクシーの車載機６０が読み取り可能な情報を容易に作成することができる。
なお、車載機６０側に住所情報から経度緯度情報を得る変換手段を備えれば、携帯電話機４０の住所録に記憶された住所を選んで車載機６０に送信するだけで目的地を入力することも可能である。
【図面の簡単な説明】
【００２７】
【図１】本発明の車両行き先指示システムを概略的に示す図である。
【図２】図１の車両行き先指示システムを構成する各機器の構成を示すブロック図である。
【図３】センタ装置のサーバ５２の施設情報記憶エリアに記憶された施設情報フォーマットの一例を示す図である。
【図４】センタサーバ５２の記録情報から作成したＱＲコードのレイアウトの一例を示す図である。
【図５】ＱＲコードを利用して携帯電話機４０に記憶した目的地情報を用いて例えばタクシーの行き先指示を行う場合の各機器の関係を示す図である。
【図６】行き先を指示するための手順を示すフロー図である。
【図７】目的地情報取得のための他の処理を示すフロー図
【図８】車載機から位置情報を携帯電話機に取り込む処理を説明するための図である。
【符号の説明】
【００２８】
１０・・・タクシー会社、１２・・・名刺、２０・・・施設、３０・・・利用者、４０・・・携帯電話機、４１・・・制御部、４１ａ・・・経度緯度変換手段、４１ｂ・・・バーコード変換手段、４２・・・バーコード読取手段（カメラ）、４３・・・メモリ手段、４４・・・無線送信手段、４５・・・表示手段、４６・・・記憶手段、５０・・・センタ、５２・・・センタサーバ、５２ａ・・・抽出手段、５２ｂ・・・交換手段、５４・・・施設情報データベース、５６・・・表示手段、５７・・・印刷手段、５８・・・送受信部、６０・・・車載機、６０ａ・・・制御部、６２・・・カーナビゲーション手段、６３・・・無線送受信手段、６４・・・ＩＣカードリーダ・ライタ（読取手段）、６５・・・バーコード読取手段（カメラ）、６６・・・表示手段。
【図１】
2006226962.tif 000003
【図２】
2006226962.tif 000004
【図３】
2006226962.tif 000005
【図４】
2006226962.tif 000006
【図５】
2006226962.tif 000007
【図６】
2006226962.tif 000008
【図７】
2006226962.tif 000009
【図８】
2006226962.tif 000010